(57)【要約】【課題】画像形成装置等の表示部に表示されているウェブページについて所謂ブックマーク登録を行う場合に、ユーザが、当該ブックマークを表示するブックマーク画像を、簡単な操作で所望の表示位置に変更できるようにする。【解決手段】表示部と、ウェブブラウザ機能部５２２１とを備え、ウェブブラウザ機能部５２２１は、登録指示受付画像を表示部に表示させる登録指示受付画像表示制御部５２２４と、登録指示受付画像に基づく操作に基づいて、当該表示中のウェブページのURLを登録する登録部５２２５と、この登録指示が受け付けられたときに、当該URLが登録されるウェブページのブックマーク画像の表示位置の候補を示す位置指定受付画像を表示させる位置指定受付画像表示制御部５２２６と、位置指定受付画像に基づく操作によりブックマーク画像の表示位置を指定する指示を受け付ける位置指定受付部５２２７とを備える。【選択図】図３
2010128991.tif 000002
【特許請求の範囲】
【請求項１】
画像を表示する表示部と、
前記表示部にウェブページを表示させるウェブブラウザ機能部とを備え、
前記ウェブブラウザ機能部は、表示中のウェブページのURLを登録する登録指示を受け付けるための登録指示受付画像を前記表示部に表示させる登録指示受付画像表示制御部と、ユーザによる当該登録指示受付画像に基づく操作により前記登録指示をタッチパネル機能により受け付け、当該表示中のウェブページのURLを登録する登録部と、当該登録部に前記登録指示が受け付けられたときに、当該URLが登録されるウェブページを示すブックマーク画像の表示位置の候補を示し、ユーザによる当該候補の選択操作に基づいて当該ブックマーク画像の表示位置指定を受け付けるための位置指定受付画像を前記表示部に表示させる位置指定受付画像表示制御部と、ユーザによる当該位置指定受付画像に基づく操作により、当該位置指定受付画像の表示位置を前記ブックマーク画像の表示位置として指定する位置指定指示を、タッチパネル機能により受け付ける位置指定受付部とを備える表示制御装置。
【請求項２】
前記ウェブブラウザ機能部は、さらに、前記位置指定受付部に前記ブックマーク画像の位置指定指示が受け付けられたときに、当該ブックマーク画像の名称の入力を受け付けるための名称入力受付画像を前記表示部に表示させる名称入力受付画像表示制御部と、ユーザによる当該名称入力受付画像に基づく操作に基づいて前記ブックマーク画像の名称の入力をタッチパネル機能により受け付ける名称入力受付部とを備える請求項１に記載の表示制御装置。
【請求項３】
前記ウェブブラウザ機能部は、さらに、前記位置指定受付部によって受け付けられた前記位置指定指示が示す表示位置に、当該位置指定指示に対応付けられている前記ブックマーク画像を表示させるブックマーク画像表示制御部と、ユーザによる当該ブックマーク画像に基づく操作により、当該ブックマーク画像に対応付けられているURLが示すウェブページを前記表示部に新たに表示させるウェブ表示制御部とを備える請求項１又は請求項２に記載の表示制御装置。
【請求項４】
前記ブックマーク画像表示制御部は、さらに、前記名称入力受付部によって受け付けられた名称を表示した上で前記ブックマーク画像を前記表示部に表示させる請求項２又は請求項３に記載の表示制御装置。
【請求項５】
プリント対象データに基づいて記録紙に画像を記録する記録部と、
請求項１乃至請求項４のいずれかに記載の表示制御装置とを備えた画像形成装置。
【請求項６】
表示制御装置に内蔵されるコンピュータを、
前記表示制御装置の表示部にウェブページを表示させるウェブブラウザ機能部として機能させ、
さらに、前記ウェブブラウザ機能部を、表示中のウェブページのURLを登録する登録指示を受け付けるための登録指示受付画像を前記表示部に表示させる登録指示受付画像表示制御部と、ユーザによる当該登録指示受付画像に基づく操作により前記登録指示をタッチパネル機能により受け付け、当該表示中のウェブページのURLを登録する登録部と、当該登録部に前記登録指示が受け付けられたときに、当該URLが登録されるウェブページを示すブックマーク画像の表示位置の候補を示し、ユーザによる当該候補の選択操作に基づいて当該ブックマーク画像の表示位置指定を受け付けるための位置指定受付画像を前記表示部に表示させる位置指定受付画像表示制御部と、ユーザによる当該位置指定受付画像に基づく操作により、当該位置指定受付画像の表示位置を前記ブックマーク画像の表示位置として指定する位置指定指示を、タッチパネル機能により受け付ける位置指定受付部として機能させる表示制御プログラム。
【発明の詳細な説明】
【技術分野】
【０００１】
本発明は、表示制御装置、画像形成装置、及び表示制御プログラムに関し、特に、ウェブページを表示部に表示する際の技術に関する。
【背景技術】
【０００２】
従来から、コピー機や、複合機（コピー機能、プリンタ機能、ファクシミリ機能、スキャナ機能を兼ね備えた機器）等の画像形成装置には、ユーザに対して操作案内等を表示するために、ＬＣＤ（Liquid Crystal Display）等からなる表示部が設けられている。また、下記特許文献１に示されるように、インターネットに接続されたブラウザ機能を有する表示装置であって、参照したＵＲＬのアクセス回数を計数し、アクセスされた回数に応じてブックマーク（任意のウェブサイトのURLを登録する機能）に新たに登録したり、アクセス回数によってブックマークを表示するブックマーク画像を並べ変える表示装置が提案されている。
【特許文献１】特開２０００−９９４３６号公報
【発明の開示】
【発明が解決しようとする課題】
【０００３】
しかし、上記特許文献１に示された表示装置では、ユーザが希望する表示位置に上記ブックマーク画像を表示させることはできない。この表示装置では、アクセス回数の多いウェブページを示すブックマーク画像の表示位置がアクセス回数に応じた位置に変更されていくだけである。また、このような表示装置においては、ユーザが操作方法を詳細に把握していなくても、簡単な操作で、ブックマーク画像の表示位置を所望の位置に変更可能とすることが望まれる。
【０００４】
本発明は、上記の問題を解決するためになされたもので、画像形成装置等の表示部に表示されているウェブページについて所謂ブックマーク登録を行う場合に、ユーザが、当該ブックマークを表示するブックマーク画像を、簡単な操作で所望の表示位置に変更できるようにすることを目的とする。
【課題を解決するための手段】
【０００５】
本発明の請求項１に記載の発明は、画像を表示する表示部と、
前記表示部にウェブページを表示させるウェブブラウザ機能部とを備え、
前記ウェブブラウザ機能部は、表示中のウェブページのURLを登録する登録指示を受け付けるための登録指示受付画像を前記表示部に表示させる登録指示受付画像表示制御部と、ユーザによる当該登録指示受付画像に基づく操作により前記登録指示をタッチパネル機能により受け付け、当該表示中のウェブページのURLを登録する登録部と、当該登録部に前記登録指示が受け付けられたときに、当該URLが登録されるウェブページを示すブックマーク画像の表示位置の候補を示し、ユーザによる当該候補の選択操作に基づいて当該ブックマーク画像の表示位置指定を受け付けるための位置指定受付画像を前記表示部に表示させる位置指定受付画像表示制御部と、ユーザによる当該位置指定受付画像に基づく操作により、当該位置指定受付画像の表示位置を前記ブックマーク画像の表示位置として指定する位置指定指示を、タッチパネル機能により受け付ける位置指定受付部とを備える表示制御装置である。
【０００６】
また、請求項６に記載の発明は、表示制御装置に内蔵されるコンピュータを、
前記表示制御装置の表示部にウェブページを表示させるウェブブラウザ機能部として機能させ、
さらに、前記ウェブブラウザ機能部を、表示中のウェブページのURLを登録する登録指示を受け付けるための登録指示受付画像を前記表示部に表示させる登録指示受付画像表示制御部と、ユーザによる当該登録指示受付画像に基づく操作により前記登録指示をタッチパネル機能により受け付け、当該表示中のウェブページのURLを登録する登録部と、当該登録部に前記登録指示が受け付けられたときに、当該URLが登録されるウェブページを示すブックマーク画像の表示位置の候補を示し、ユーザによる当該候補の選択操作に基づいて当該ブックマーク画像の表示位置指定を受け付けるための位置指定受付画像を前記表示部に表示させる位置指定受付画像表示制御部と、ユーザによる当該位置指定受付画像に基づく操作により、当該位置指定受付画像の表示位置を前記ブックマーク画像の表示位置として指定する位置指定指示を、タッチパネル機能により受け付ける位置指定受付部として機能させる表示制御プログラムである。
【０００７】
これらの発明では、登録指示受付画像表示制御部によって、表示中のウェブページについての上記登録指示受付画像が表示されているときに、当該登録指示受付画像に基づくユーザの操作で登録部に上記登録指示が受け付けられると、位置指定受付画像表示制御部が、ブックマーク画像の表示位置の候補を示すと共に、ユーザによる当該候補の選択操作に基づいて当該ブックマーク画像の表示位置指定を受け付けるための位置指定受付画像を表示させ、位置指定受付部が、ユーザによる当該位置指定受付画像に基づいた操作により、当該位置指定受付画像の表示位置をブックマーク画像の表示位置として位置指定指示を受け付けるので、ユーザは、表示部に表示されている上記位置指定受付画像を指等で触る等による簡単な操作で、ブックマーク画像を表示させたい所望の表示位置を指定する指示を入力することが可能になる。
【０００８】
また、請求項２に記載の発明は、請求項１に記載の表示制御装置であって、前記ウェブブラウザ機能部は、さらに、前記位置指定受付部に前記ブックマーク画像の位置指定指示が受け付けられたときに、当該ブックマーク画像の名称の入力を受け付けるための名称入力受付画像を前記表示部に表示させる名称入力受付画像表示制御部と、ユーザによる当該名称入力受付画像に基づく操作に基づいて前記ブックマーク画像の名称の入力をタッチパネル機能により受け付ける名称入力受付部とを備えるものである。
【０００９】
この発明によれば、ユーザが、名称入力受付画像表示制御部によって表示される名称入力受付画像に基づいた表示部の表示画面での操作を行うことで、名称入力受付部によって、ブックマーク画像の名称の入力が受け付けられるので、ユーザは、表示部に表示される画像に基づいた簡単な操作で、ブックマーク画像の名称を入力することが可能になる。
【００１０】
また、請求項３に記載の発明は、請求項１又は請求項２に記載の表示制御装置であって、前記ウェブブラウザ機能部は、さらに、前記位置指定受付部によって受け付けられた前記位置指定指示が示す表示位置に、当該位置指定指示に対応付けられている前記ブックマーク画像を表示させるブックマーク画像表示制御部と、ユーザによる当該ブックマーク画像に基づく操作により、当該ブックマーク画像に対応付けられているURLが示すウェブページを前記表示部に新たに表示させるウェブ表示制御部とを備えるものである。
【００１１】
この発明では、ブックマーク画像表示制御部が、位置指定受付部によってユーザから受け付けられた表示位置にブックマーク画像を表示させ、ウェブページ表示制御部は、ユーザによる当該ブックマーク画像に基づく操作が行われると、当該ブックマーク画像に対応付けられているURLが示すウェブページを表示部に表示させる。このため、本発明に寄れば、ユーザは、所望のウェブページを表示させる際に操作が必要となるブックマーク画像の表示位置を、簡単な操作で自分の好みに合わせてカスタマイズすることが可能になる。
【００１２】
また、請求項４に記載の発明は、請求項２又は請求項３に記載の表示制御装置であって、前記ブックマーク画像表示制御部は、さらに、前記名称入力受付部によって受け付けられた名称を表示した上で前記ブックマーク画像を前記表示部に表示させるものである。
【００１３】
この発明によれば、ウェブページ表示制御部は、名称入力受付部により受け付けられた名称を表示した上でブックマーク画像を表示部に表示させるので、ユーザは、簡単な操作で、所望の名称が表示されたブックマーク画像を、所望の表示位置に表示させることが可能になる。
【００１４】
また、請求項５に記載の発明は、プリント対象データに基づいて記録紙に画像を記録する記録部と、
請求項１乃至請求項４のいずれかに記載の表示制御装置とを備えた画像形成装置である。
【００１５】
この発明によれば、請求項１乃至請求項４のいずれかに記載の発明が奏する作用を得ることができる。
【発明の効果】
【００１６】
本発明によれば、ユーザは、画像形成装置等の表示部に表示されているウェブページについて所謂ブックマーク登録を行う場合に、当該ブックマークを表示するブックマーク画像を、簡単な操作で、ユーザ所望の表示位置に変更することが可能になる。
【発明を実施するための最良の形態】
【００１７】
以下、本発明に係る表示制御装置を備える画像形成装置の実施形態を説明する。図１は、本発明に係る表示制御装置を備える画像形成装置の一実施形態である複合機の構成を示す側面概略図である。
【００１８】
複合機１は、本体部２００と、本体部２００の用紙搬出側、例えば左側に配設された用紙後処理部３００と、ユーザ操作者が種々の操作指令等を入力するための操作部４００と、本体部２００の上部に配設された原稿読み取り部と、原稿読み取り部５００の上部に配設された原稿給送部６００とから構成される。
【００１９】
操作部４００は、ＬＣＤ（Liquid Crystal Display）等からなる表示部４１０と、ユーザから操作指示が入力される操作キー部４３０を備える。操作キー部４３０は、スタートキー及びテンキー等を備える。
【００２０】
原稿給送部６００は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２１】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２２】
感光体ドラム２０４は、矢印方向に回転しながら帯電装置（図示省略）によって一様に帯電される。露光装置２０６は、原稿読み取り部５００において読み取られた原稿の画像データに応じて変調されたレーザ光を感光体ドラム２０４上に走査し、ドラム表面に静電潜像を形成する。現像装置２０７は、黒色の現像剤を感光体ドラム２０４に供給してトナー画像を形成する。
【００２３】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２４】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２５】
図２は、複合機１の制御ブロック図である。複合機１は、スキャナ部１１、画像処理部２１、記録部３１、操作部４００、制御ユニット５０、ネットワークインタフェイス（インターフェース）部７１、及びＨＤＤ（ハードディスクドライブ）７４を備える。
【００２６】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２７】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、記録部３１へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２８】
記録部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。記録部３１は、スキャナ部１１により読み取られた原稿データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００２９】
ネットワークインタフェイス部７１は、ネットワークインタフェイス等を用い、イーサネット（登録商標）等によりＬＡＮ（Local Area Network）を介して、外部装置との間での種々のデータの送受信を制御すると共に、インターネットへの接続を行う。ＨＤＤ７４は、スキャナ部１１によって読み取られた画像データ及び当該画像データに設定されている出力形式等を記憶する。
【００３０】
操作部４００は、図１に示す表示部４１０、操作キー部４３０を備える。表示部４１０は、タッチパネルとＬＣＤとを組み合わせたタッチパネルユニット等から構成される。表示部４１０は、種々の操作画面を表示すると共に、ユーザが表示面（表示されている操作キー部）をタッチすることで種々の機能の実行指令を入力することが可能である。操作キー部４３０は、上述のようにスタートキー、テンキー等を有する。
【００３１】
制御ユニット５０は、制御部５２と、表示画像データ記憶部５３とを備える。
【００３２】
制御部５２は、メインコントローラユニット５２１と、表示制御ユニット５２２とを備える。メインコントローラユニット５２１は、複合機１の動作制御を司る。表示制御ユニット５２２は、ユーザに対する複合機１の操作案内情報及びウェブページ等を表示部４１０に表示させるための表示制御を行う。表示画像データ記憶部５３は、表示部４１０に表示させる各種の画像データを記憶している。表示画像データ記憶部５３に記憶されている当該各種画像データは、ユーザに対する複合機１の各操作案内情報の表示等を示す画像からなるものである。
【００３３】
図３は複合機１の制御ユニット５０の構成を抽出して示す図である。制御ユニット５０は、上述したように、メインコントローラユニット５２１と、表示制御ユニット５２２とを備える。当該メインコントローラユニット５２１は、例えばＣＰＵからなり、表示制御ユニット５２２は例えばＡＳＩＣ（Application Specific Integrated Circuit）からなり、これらを構成する各ボードは、例えばＵＳＢ（Universal Serial Bus）で接続される。
【００３４】
メインコントローラユニット５２１は、動作制御部５２１１と、プロキシサーバ５２１３とを備える。
【００３５】
動作制御部５２１１は、複合機１の各部（スキャナ部１１，画像処理部２１、記録部３１等）の動作制御を司る。
【００３６】
プロキシサーバ５２１３は、ウェブブラウザ機能部５２２１とインターネット網の間に介在してインターネットとの接続を行なう。プロキシサーバ５２１３は、イーサネット等を介してインターネットに接続する。
【００３７】
表示制御ユニット５２２は、ウェブブラウザ機能部５２２１と、パネルアプリケーション５２２２とを備える。
【００３８】
ウェブブラウザ機能部５２２１は、表示部４１０にインターネット上のウェブページを表示させるために必要な処理等を実行する。
【００３９】
パネルアプリケーション５２２２は、複合機１の各操作案内等を表示部４１０に表示させるために必要な処理を実行する。パネルアプリケーション５２２２は、複合機１の各操作案内に対応する画像データを、上記表示画像データ記憶部５３から読み出して、表示部４１０に表示させる。
【００４０】
また、ウェブブラウザ機能部５２２１は、ウェブ表示制御部５２２３と、登録指示受付画像表示制御部５２２４と、登録部５２２５と、位置指定受付画像表示制御部５２２６と、位置指定受付部５２２７と、名称入力受付画像表示制御部５２２８と、名称入力受付部５２２９と、ブックマーク画像表示制御部５２３０とを有している。
【００４１】
ウェブ表示制御部５２２３は、表示部４１０にウェブページを表示させるために必要な処理を行う。
【００４２】
登録指示受付画像表示制御部５２２４は、表示部４１０に、表示中のウェブページと共に、登録指示受付画像を表示させる。この登録指示受付画像は、当該ウェブページのURL（Uniform Resource Locator）を登録する登録指示をタッチパネル機能によりユーザから受け付けるための画像である。
【００４３】
登録部５２２５は、ユーザによる上記登録指示受付画像に基づく操作、例えば、ユーザが指等で当該登録指示受付画像に触れる又は押圧する等の操作により、表示部４１０に表示中のウェブページのURLを登録する登録指示を受け付け、当該表示中のウェブページのURLを登録する。
【００４４】
位置指定受付画像表示制御部５２２６は、登録部５２２５に上登録指示が受け付けられたときに、位置指定受付画像を表示部４１０に表示させる。この位置指定受付画像は、登録の対象とされるURLを有するウェブページを示すブックマーク画像（図１１参照）の表示位置の候補を示し、ユーザによる当該候補の選択操作に基づいて、当該ブックマーク画像の表示位置指定を、タッチパネル機能によりユーザから受け付けるための画像である。
【００４５】
位置指定受付部５２２７は、ユーザによる上記位置指定受付画像に基づく操作（例えば、ユーザが指等で当該位置指定受付画像に触れる又は押圧する等の操作）により、その位置指定受付画像が表示されている位置を上記ブックマーク画像の位置指定指示として、タッチパネル機能によりユーザから受け付ける。例えば、位置指定受付部５２２７は、上記位置指定受付画像が表示されている位置として、当該位置指定受付画像が表示されている表示部４１０の表示画面上における座標値で示される表示位置を、上記ブックマーク画像の位置指定指示としてユーザから受け付ける。
【００４６】
名称入力受付画像表示制御部５２２８は、位置指定受付部５２２７に上記ブックマーク画像の位置指定指示が受け付けられたときに、名称入力受付画像を表示部４１０に表示させる。名称入力受付画像は、当該ブックマーク画像の名称の入力をタッチパネル機能によりユーザから受け付けるための画像である。
【００４７】
名称入力受付部５２２９は、ユーザによる当該名称入力受付画像に基づく操作（例えば、ユーザが指等で当該名称入力受付画像に触れる又は押圧する等の操作）に基づいて上記ブックマーク画像の名称の入力をタッチパネル機能により受け付ける。
【００４８】
ブックマーク画像表示制御部５２３０は、位置指定受付部５２２７によって受け付けられた位置指定指示が示す表示位置に、当該位置指定指示に対応付けられているブックマーク画像を表示させると共に、さらに、名称入力受付部５２２９によって受け付けられた名称を表示した上で、当該ブックマーク画像を表示部４１０に表示させる。
【００４９】
さらに、上記ウェブ表示制御部５２２３は、ユーザによる当該ブックマーク画像に基づく操作（例えば、ユーザが指等で当該ブックマーク画像に触れる又は押圧する等の操作）が行われたときに、当該ブックマーク画像に対応付けられているURLが示すウェブページの表示指示をユーザから受け付け、当該URLが示すウェブページを表示部４１０に新たに表示させる。
【００５０】
本発明の一実施形態に係る表示制御装置は、例えば、制御ユニット５０及び表示部４１０を備えてなる。
【００５１】
なお、上記には、制御部５２が、ＣＰＵからなるメインコントローラユニット５２１と、ＡＳＩＣからなる表示制御ユニット５２２とで構成されている例を示したが、これに限られず、例えば、ＨＤＤ７４に本発明の一実施形態に係る表示制御プログラムが記憶されており、ＣＰＵ等からなる制御部５２が、当該表示制御プログラムに従って動作することで、上記ウェブブラウザ機能部５２２１として機能してもよいし、これに加えて更に、制御部５２が、パネルアプリケーション５２２２、動作制御部５２１１及びプロキシサーバ５２１３としても機能するものであってもよい。
【００５２】
次に、複合機１におけるブックマーク登録制御を説明する。図４は複合機１におけるブックマーク登録制御を示すフローチャートである。図５は初期操作画面の例を示す図である。図６はウェブページ表示画面の例を示す図である。図７は位置指定受付画像の表示例を示す図である。図８及び図９は名称入力画面（キーボード画面）の表示例を示す図である。
【００５３】
ユーザが、複合機１の使用開始時に当該複合機１の主電源をＯＮにすると（Ｓ１でＹＥＳ）、パネルアプリケーション５２２２は、表示画像データ記憶部５３から、初期操作画面に対応する画像データを読み出して、図５に示すような初期画面４１０１を表示部４１０に表示させる（Ｓ２）。このとき、操作部４００は、ユーザから各種動作実行指示（コピー動作実行指示やウェブページ表示指示等）が受付可能な状態となる（Ｓ３，Ｓ１３）。この初期画面４１０１は、図５に示すように、例えばコピー動作時の各種設定を受け付けるキー１０１乃至１０４等が表示されると共に、ウェブブラウザを起動させるウェブブラウザ起動指示（ウェブブラウザの起動により予め設定されているウェブページを表示部４１０に表示させる指示）をユーザから受け付けるブラウザキー１０５が表示される。当該初期画面４１０１及び以下に示す各画面に表示されるキーは、タッチパネル機能によりユーザからの指示の入力がウェブブラウザ機能部５２２１や動作制御部５２１１等に受け付けられる。
【００５４】
ここで、ユーザによる操作部４００の操作で、ウェブページ表示指示以外のいずれかの動作実行指示、例えば、コピー動作実行指示が入力され、当該指示が操作部４００に受け付けられた場合（Ｓ３でＮＯ，Ｓ１３でＹＥＳ）、動作制御部５２１１は、指示された動作、例えばコピー動作を実行する（Ｓ１４）。なお、操作部４００がユーザからいずれの動作実行指示も受け付けない場合は（Ｓ１３でＮＯ）、処理はＳ２に戻り、パネルアプリケーション５２２２が初期画面４１０１を表示部４１０に表示させ、操作部４００がユーザからの各種動作実行指示の入力を待機する状態が継続する。
【００５５】
一方、ユーザにより、初期画面４１０１において、ブラウザキー１０５が押下され、タッチパネル機能によりウェブ表示制御部５２２３にウェブページ表示指示が受け付けられた場合は（Ｓ３でＹＥＳ）、ウェブ表示制御部５２２３は、プロキシサーバ５２１３を介して、ウェブブラウザ表示時の第１ページとして予め設定されているウェブページのウェブサイトにアクセスし、当該ウェブサイトから、第１ページとなるウェブページの画像データを取得して、例えば図６に示すようなウェブページ表示画面４１０３を表示部４１０に表示する（Ｓ４）。すなわち、ウェブ表示制御部５２２３は、パネルアプリケーション５２２２によって表示部４１０に表示されている初期画面４１０１を、上記ウェブページ表示画面４１０３に切り換える。
【００５６】
このとき、登録指示受付画像表示制御部５２２４は、例えば、当該表示部４１０の表示画面であって、表示対象とするウェブページ上に（表示対象とするウェブページの範囲外でもよい。特に表示位置を限定するものではない）、登録指示受付画像Ｂ３を表示させる。
【００５７】
また、ウェブ表示制御部５２２３は、ウェブページ表示画面４１０３に、スクロールバーＢ１及び画面クローズボタンＢ２等を表示させる。スクロールバーＢ１及び画面クローズボタンＢ２等は、タッチパネル機能を利用してユーザがウェブページのスクロール指示、ウェブページを閉じる指示等を入力する操作を容易にするため、ユーザが指で触れやすい程度の大きさに設定されている。
【００５８】
なお、図４には図示していないが、ウェブ表示制御部５２２３が、ウェブページ表示画面４１０３を表示部４１０に表示させているときに、ユーザにより画面クローズボタンＢ２が押下され、タッチパネル機能により画面クローズ指示がウェブ表示制御部５２２３に受け付けられると、ウェブ表示制御部５２２３は当該ウェブページ表示画面４１０３の表示を中止し、パネルアプリケーション５２２２による上記初期操作画面４１０１の表示処理（Ｓ２）に移行する。
【００５９】
上記のように、ウェブ表示制御部５２２３が、ウェブページ表示画面４１０３を表示部４１０に表示させているときに、登録指示受付画像Ｂ３がユーザにより押下等されると、タッチパネル機能により、登録部５２２５に、この時点で表示部に４１０に表示中のウェブページのURLを登録する登録指示が受け付けられ（Ｓ５でＹＥＳ）、当該登録部５２２５は、当該表示中のウェブページのURLを登録する（Ｓ６）。さらに、位置指定受付画像表示制御部５２２６は、例えば図７に示すように、当該URLが登録されるウェブページを示すブックマーク画像の表示位置の候補を示す複数の位置指定受付画像Ｂ５１〜Ｂ５８が示された位置指定受付画面４１０４を、表示中のウェブページに重ねて又は表示中のウェブページに代えて、表示部４１０に表示させる（Ｓ７）。
【００６０】
ここで、ユーザが位置指定受付画像Ｂ５１〜Ｂ５８のいずれかを押下する等の操作が行われると、位置指定受付部５２２７は、当該ユーザにより押下等された位置指定受付画像の表示位置を、上記登録されたURLを有するウェブページについてのブックマーク画像を表示させる位置として、タッチパネル機能により受け付けて記憶する（Ｓ８でＹＥＳ、Ｓ９）。
【００６１】
そして、上記のようにブックマーク画像の位置指定指示が位置指定受付部５２２７に受け付けられると、名称入力受付画像表示制御部５２２８は、表示部４１０に、例えば図８及び図９に示すような名称入力画面４１０５を表示させる（Ｓ１０）。当該名称入力画面４１０５は、名称入力受付画像の一例であり、図８及び図９に示すように、キーボードを示す画像からなるキーボード画面である。例えば、名称入力受付画像表示制御部５２２８は、当該名称入力画面４１０５を、位置指定受付画面４１０４の名称候補表示欄Ｂ５９（図７）を避けた位置に、位置指定受付画面４１０４上に重ねて表示させる。
【００６２】
名称入力受付画像表示制御部５２２８が、表示部４１０に当該名称入力画面４１０５を表示させているときに、ユーザが当該名称入力画面４１０５に表示されている各文字キー表示部分を押下すると、タッチパネル機能により、押下された箇所の文字キーに対応付けられた文字又は記号の入力を、名称入力受付部５２２９が受け付ける。
【００６３】
なお、名称入力画面４１０５は、例えば、図８に示す大文字入力画面Ｇ４０と図９に示す小文字入力画面Ｇ４０’とを有している。例えば、名称入力受付画像表示制御部５２２８は、名称入力画面４１０５表示時に、初期画面として大文字入力画面Ｇ４０を最初に表示部４１０に表示する。この大文字入力画面Ｇ４０において「小文字」ボタンＧ４４がユーザにより押下され、タッチパネル機能により名称入力受付画像表示制御部５２２８に画面切替指示が受け付けられると、名称入力受付画像表示制御部５２２８は、表示部４１０の表示画面を小文字入力画面Ｇ４０’に切り替える。また、この小文字入力画面Ｇ４０’において「大文字」ボタンＧ４３がユーザにより押下され、タッチパネル機能により名称入力受付画像表示制御部５２２８に画面切替指示が受け付けられると、名称入力受付画像表示制御部５２２８は、表示部４１０の表示画面を大文字入力画面Ｇ４０に切り替える。
【００６４】
大文字入力画面Ｇ４０及び小文字入力画面Ｇ４０’では、ユーザにより入力文字ボタンＧ４１が押下され、タッチパネル機能により名称入力受付画像表示制御部５２２８に入力文字切替指示が受け付けられると、名称入力受付画像表示制御部５２２８は、入力文字ボタンＧ４１から下方に向けて、入力文字各種を示す項目が並んでなる入力文字メニューボタンＰ１をプルダウン表示する。また、ユーザにより文字入力方式切替ボタンＧ４２が押下され、タッチパネル機能により名称入力受付画像表示制御部５２２８に文字入力方式切替指示が受け付けられると、名称入力受付画像表示制御部５２２８は、文字入力方式切替ボタンＧ４２から下方に向けて、文字入力方式各種を示す項目が並んでなる入力方式メニューボタンＰ２をプルダウン表示する。
【００６５】
名称入力受付画像表示制御部５２２８は、大文字入力画面Ｇ４０及び小文字入力画面Ｇ４０’においてユーザによる各キーの操作に基づいて入力を受け付けた各文字を、位置指定受付画面４１０４の名称候補表示欄Ｂ５９に表示させる。
【００６６】
名称入力受付部５２２９は、ユーザにより大文字入力画面Ｇ４０又は小文字入力画面Ｇ４０’の「OK」ボタンＧ４５が操作されると、タッチパネル機能により、この時点で名称候補表示欄Ｂ５９に表示している文字列を、上記位置指定が行われているブックマーク画像の名称として入力を受け付ける（Ｓ１１でＹＥＳ）。
【００６７】
名称入力受付部５２２９は、上記のようにしてブックマーク画像の名称入力を受け付けると、受け付けた名称を、当該ブックマーク画像（URL登録の対象とされたウェブページを示すブックマーク）の名称として記憶する（Ｓ１２）。
【００６８】
次に、複合機１において、ブックマーク登録されたウェブページを表示する際の制御を説明する。図１０はブックマーク登録されたウェブページを表示する際の制御を示すフローチャートである。図１１はブックマーク選択画面の例を示す図である。なお、図４に示したブックマーク登録制時に行われる処理と同様の処理は説明を省略する。
【００６９】
ユーザにより、初期画面４１０１において、ブラウザキー１０５が押下され、タッチパネル機能によりウェブ表示制御部５２２３にウェブページ表示指示が受け付けられると（Ｓ２３でＹＥＳ）、ウェブ表示制御部５２２３は、上記第１ページとして予め設定されているウェブページのウェブページ表示画面４１０３を表示部４１０に表示するが（Ｓ２４）、このとき、ウェブ表示制御部５２２３は、当該表示部４１０の表示画面であって、表示対象とするウェブページの範囲外に、ブックマークされている各ウェブページを示すブックマーク画像を表示させる指示をタッチパネル機能によりユーザから受け付けるためのブックマーク表示指示受付画像Ｂ６を表示させる（図６）。なお、図６には、ウェブ表示制御部５２２３は、ウェブページ表示画面４１０３におけるウェブページ表示部分を外れた当該ウェブページ表示部分の側方にブックマーク表示指示受付画像Ｂ６を表示させているが、ブックマーク表示指示受付画像Ｂ６の表示位置は当該位置に限られず、ウェブページ表示部分を外れた別の位置でも構わないし、また、当該ウェブページ表示部分に重ねて表示するようにしてもよい。
【００７０】
上記のように、ウェブ表示制御部５２２３が、ウェブページ表示画面４１０３を表示部４１０に表示させているときに、ブックマーク表示指示受付画像Ｂ６がユーザにより押下等されると、タッチパネル機能により、ブックマーク画像表示制御部５２３０に、ブックマークされている各ウェブページを示すブックマーク画像を表示させるブックマーク画像表示指示が受け付けられる（Ｓ２５でＹＥＳ）。このブックマーク画像表示指示に基づいて、ブックマーク画像表示制御部５２３０は、図１１に示すようなブックマーク表示画面４１０６を表示させる。ブックマーク画像表示制御部５２３０は、ブックマーク表示画面４１０６においては、当該表示の対象とする各ブックマーク画像のそれぞれについて、上述した位置指定指示に基づいて位置指定受付部５２２７に記憶されている表示位置を読み出し、各ブックマーク画像をそれぞれ、当該表示位置が示す表示部４１０の表示画面上の位置に表示させる（Ｓ２６，図１１）。例えば、表示部４１０の表示画面上において、図４のＳ８，Ｓ９でユーザにより操作された位置指定受付画像（位置指定受付画像Ｂ５１〜Ｂ５８のいずれか）の表示位置と同じ位置に、ブックマーク画像表示制御部５２３０が、表示の対象とするブックマーク画像Ｂ６１〜Ｂ６８をそれぞれ表示させる。
【００７１】
このとき、ブックマーク画像表示制御部５２３０は、さらに、表示の対象とする各ブックマーク画像のそれぞれについて、上述した名称入力に基づいて各ブックマーク画像毎に名称入力受付部５２２９に記憶されている名称を読み出し、ブックマーク画像Ｂ６１〜Ｂ６８をそれぞれ、当該名称を表記した上で表示させる。
【００７２】
このようにブックマーク画像表示制御部５２３０によりブックマーク画像Ｂ６１〜Ｂ６８が表示されてなるブックマーク一覧が表示部４１０に表示されている状態において、ユーザによりいずれかのブックマーク画像が押下等される操作が行われると、ブックマーク画像表示制御部５２３０は、当該押下されたブックマーク画像の表示色を他のブックマーク画像とは異ならせて表示させる。さらに、ブックマーク画像表示制御部５２３０がブックマーク表示画面４１０６内に表示させている「このページを表示」キーＢ６９がユーザにより押下等されると、タッチパネル機能により、上記押下等されたブックマーク画像に対応付けられたブックマーク（すなわち、当該ブックマーク画像に対応付けられて登録されているURL）が示すウェブページの表示指示をウェブ表示制御部５２２３が受け付け（Ｓ２７でＹＥＳ）、ウェブ表示制御部５２２３は、当該ブックマークが示すウェブページを表示部４１０に新たに表示させる（Ｓ２８）。
【００７３】
なお、本発明は上記実施の形態の構成に限られず種々の変形が可能である。例えば、位置指定受付部５２２７は、ユーザによる上記位置指定受付画像に基づく操作により、その位置指定受付画像が表示されている表示部４１０の表示画面上において座標により示される位置を、上記ブックマーク画像の位置指定指示としてユーザから受け付けるものとしたが、これに限られず、位置指定受付画面４１０４に表示されている他の位置指定受付画像との相対的な位置関係に基づいて定まる当該位置指定受付画面４１０４内での位置を、上記ブックマーク画像の位置指定指示としてユーザから受け付けるようにしてもよい。
【００７４】
また、上記実施形態では、上記第１又は第２実施形態では、ウェブブラウザ機能部５２２１が、登録指示受付画像Ｂ３の表示処理、登録指示受付処理、位置指定受付画像Ｂ５１等の表示処理、位置指定指示の受付処理、名称入力受付画像の表示処理、名称入力受付処理、ブックマーク画像の表示処理等を行うとして説明しているが、これらの処理を行うのは、所謂ウェブブラウザと呼ばれるアプリケーションに限られず、上記各処理を実行可能なアプリケーション又は回路であればよい。すなわち、本実施形態においては、ウェブブラウザ機能部５２２１は、上記各処理を実行可能なアプリケーション又は回路を包含する概念である。
【００７５】
また、上記実施形態では、本発明に係る表示制御装置、画像形成装置、及び表示制御プログラムの実施形態を、図１乃至図１１に示しているが、これらは本発明の一例に過ぎず、本発明の構成又は処理等をこれらに限定する趣旨ではない。
【図面の簡単な説明】
【００７６】
【図１】本発明に係る表示制御装置を備える画像形成装置の一実施形態である複合機の構成を示す側面概略図である。
【図２】複合機の制御ブロック図である。
【図３】複合機の制御ユニットの構成を抽出して示す図である。
【図４】複合機におけるブックマーク登録制御を示すフローチャートである。
【図５】初期操作画面の例を示す図である。
【図６】ウェブページ表示画面の例を示す図である。
【図７】位置指定受付画像の表示例を示す図である。
【図８】名称入力画面の表示例を示す図である。
【図９】名称入力画面の表示例を示す図である。
【図１０】ブックマーク登録されたウェブページを表示する際の制御を示すフローチャートである。
【図１１】ブックマーク選択画面の例を示す図である。
【符号の説明】
【００７７】
１          複合機
３１        記録部
４１０      表示部
４１０３    ウェブページ表示画面
４１０４    位置指定受付画面
４１０５    名称入力画面
４１０６    ブックマーク表示画面
５０        制御ユニット
５２        制御部
５２２１    ウェブブラウザ機能部
５２２２    パネルアプリケーション
５２２３    ウェブ表示制御部
５２２４    登録指示受付画像表示制御部
５２２５    登録部
５２２６    位置指定受付画像表示制御部
５２２７    位置指定受付部
５２２８    名称入力受付画像表示制御部
５２２９    名称入力受付部
５２３０    ブックマーク画像表示制御部
５３        表示画像データ記憶部
Ｂ３        登録指示受付画像
Ｂ５１      位置指定受付画像
Ｂ５９      名称候補表示欄
Ｂ６        ブックマーク表示指示受付画像
Ｂ６１      ブックマーク画像
【図１】
2010128991.tif 000003
【図２】
2010128991.tif 000004
【図３】
2010128991.tif 000005
【図４】
2010128991.tif 000006
【図５】
2010128991.tif 000007
【図６】
2010128991.tif 000008
【図７】
2010128991.tif 000009
【図８】
2010128991.tif 000010
【図９】
2010128991.tif 000011
【図１０】
2010128991.tif 000012
【図１１】
2010128991.tif 000013